(57)【要約】      （修正有）【課題】電車内の吊り広告などのシート交換が容易におこなえる掲示具を提供する。【解決手段】掲示具１０を、シート掲示場所においてシート１２の上辺付近を保持して掲示する掲示具であり、横方向に延びるようにシート掲示場所に固定されるフレーム１４と、フレーム１４との間でシート１２の上辺付近を押圧して挟持する押圧部１６を有する挟持手段１８と、シート１２の上辺付近に貫通するピン（突起部）２０と、を備えて構成した。【選択図】図７
2005201999.tif 000002
【特許請求の範囲】
【請求項１】
シート掲示場所においてシートの上辺付近を保持して掲示する掲示具であり、
横方向に延びるように該シート掲示場所に固定されるフレームと、
前記フレームとの間で前記シートの上辺付近を押圧して挟持する押圧部を有する挟持手段と、
前記シートの上辺付近に貫通する突起部と、
を備えた掲示具。
【請求項２】
前記押圧部を磁力によって前記フレームに向けて付勢することにより前記シートの上辺付近を挟持する請求項１に記載する掲示具。
【請求項３】
前記フレームに対して前記押圧部を回動させることにより、該フレームとの間で前記シートの上辺付近を挟持する請求項１又は請求項２のいずれかに記載する掲示具。
【請求項４】
前記挟持手段が前記フレームに設けられた係合孔又は係合溝に貫入されることにより、該押圧部が該フレームに対して回動可能である請求項３に記載する掲示具。
【請求項５】
前記挟持手段が山形断面を有し、該山形断面の頂上付近が係合孔又は係合溝に貫入され、該山形断面の二つの斜辺の内側に、対をなす押圧部を有する請求項４に記載する掲示具。
【請求項６】
前記挟持手段の山形断面の二つの斜辺の内側に、前記押圧部よりも頂上側で対をなす支点部を有する請求項５に記載する掲示具。
【請求項７】
前記挟持手段によるシートの挟持を解除した状態で維持できる維持手段を有する請求項１乃至請求項６のいずれかに記載する掲示具。
【発明の詳細な説明】
【技術分野】
【０００１】
本発明は、電車内の吊り下げ広告等のシートの上辺を保持して掲示するための掲示具に関する。
【背景技術】
【０００２】
従来から、電車内において雑誌等の宣伝のために天井から吊り下げ広告が垂れ下がっている。また、吊り下げ広告を保持するための掲示具についての出願も行われている（特許文献１参照）。しかし、従来の掲示具は、シートを保持するための構造が複雑で製造コストのかかるものであった。また、シートの交換作業がより容易な掲示具が望まれている。
【特許文献１】特開平０９−３３００５１号公報
【発明の開示】
【発明が解決しようとする課題】
【０００３】
解決しようとする問題点は、より少ないコストで製造できるとともに、より交換作業の容易な掲示具を提供することである。
【課題を解決するための手段】
【０００４】
本発明の掲示具は、シート掲示場所においてシートの上辺付近を保持して掲示する掲示具であり、横方向に延びるように該シート掲示場所に固定されるフレームと、前記フレームとの間で前記シートの上辺付近を押圧して挟持する押圧部を有する挟持手段と、前記シートの上辺付近に貫通する突起部と、を備えたことを特徴とする。
【０００５】
本発明の掲示具は、前記掲示具において、前記押圧部を磁力によって前記フレームに向けて付勢することにより前記シートの上辺付近を挟持することを特徴とする。
【０００６】
本発明の掲示具は、前記掲示具において、前記フレームに対して前記押圧部を回動させることにより、該フレームとの間で前記シートの上辺付近を挟持することを特徴とする。
【０００７】
本発明の掲示具は、前記掲示具において、前記挟持手段が前記フレームに設けられた係合孔又は係合溝に貫入されることにより、該押圧部が該フレームに対して回動可能であることを特徴とする。
【０００８】
本発明の掲示具は、前記掲示具において、前記挟持手段が山形断面を有し、該山形断面の頂上付近が係合孔又は係合溝に貫入され、該山形断面の二つの斜辺の内側に、対をなす押圧部を有することを特徴とする。
【０００９】
本発明の掲示具は、前記掲示具において、前記挟持手段の山形断面の二つの斜辺の内側に、前記押圧部よりも頂上側で対をなす支点部を有することを特徴とする。
【００１０】
本発明の掲示具は、前記掲示具において、前記挟持手段によるシートの挟持を解除した状態で維持できる維持手段を有することを特徴とする。
【発明の効果】
【００１１】
本発明の掲示具によれば、突起部をシートに貫通させてシートを保持する構造であるため、シートを保持するための構造がコンパクトとなる。このため、製造コストを低減できる。また、挟持手段による挟持又は挟持の解除動作によってシートの取り付け又は取り外しを行えるため、交換作業が容易である。
【００１２】
また、押圧部を磁力によって付勢する本発明の掲示具によれば、押圧部によってシートを挟持するための構造がコンパクトになる。また、挟持の解除動作を容易に行うことができる。
【００１３】
また、フレームに対して押圧部を回動させる本発明の掲示具によれば、押圧部を回動させてシートを挟持するため、シートを挟持したか否かを目視で確認でき、シートの挟持を容易に行うことができる。
【００１４】
挟持手段が係合孔等に貫入された本発明の挟持具によれば、回動軸や駆動手段を設けなくとも挟持手段を回動させることができる。このため、挟持手段を回動させる機構をコンパクトかつ容易に形成することができる。
【００１５】
山形断面の挟持手段の二つの斜辺に押圧部を夫々有する本発明の挟持具によれば、一方の押圧部でシートを挟持する状態から、他方の押圧部にシートを挟持させるのと同時に一方の押圧部による挟持を解除することができる。このため、シートの交換作業を容易に行うことができる。また、シートを交換するための機構をコンパクトかつ容易に形成することができる。
【００１６】
山形断面の挟持手段の二つの斜辺に支点部を夫々有する本発明の挟持具によれば、支点部を利用して安定した状態でスムーズに挟持手段を回動させることができる。このため、回動軸を設けないコンパクトな機構であっても、挟持手段を安定した状態でスムーズに回動させることができる。
【００１７】
シートの挟持を解除した状態で維持できる本発明の挟持具によれば、挟持を片手で解除してシートを取り外し、解除した状態に維持しておき、片手で別個のシートを挟持させて取り付けることができる。このため、シートの交換作業を迅速かつ容易に行うことができる。
【発明を実施するための最良の形態】
【００１８】
本発明に係る掲示具の実施形態について、図面に基づいて詳しく説明する。図１乃至図３において、符号１０は本発明の掲示具である。
【００１９】
掲示具１０は、シート掲示場所においてシート１２の上辺付近を保持して掲示する掲示具であり、横方向に延びるようにシート掲示場所に固定されるフレーム１４と、フレーム１４との間でシート１２の上辺付近を押圧して挟持する押圧部１６を有する挟持手段１８と、シート１２の上辺付近に貫通するピン（突起部）２０と、を備えている。なお、図１においては、１本のフレーム１４に対して２本の挟持手段１８を取り付けた場合を、一例として示している。
【００２０】
フレーム１４は、図３に示すように、Ｌ字断面を有する第一の金属板２２の背面に、Ｌ字断面を有する第二の金属板２４の背面を固定することにより、Ｔ字断面を有する形状をなしている。なお、固定手段は、螺子、ワイヤー等特に限定されない。第一の金属板２２の下端付近には、図３において左右両方に突出するピン２０が固定されている。ピン２０の材質は、シート１２に貫通できるものであれば特に限定されない。
【００２１】
挟持手段１８は、図３に示すように、山形断面を有し、山形断面の頂上付近がフレーム１４に設けられた係合孔２６に貫入されることにより、押圧部１６がフレーム１４に対して回動可能に構成されている。押圧部１６は、この山形断面の二つの斜辺の内側に夫々設けられて対をなしている。また、押圧部材１６は、磁石から構成され、磁力によって金属製のフレーム１４に向けて付勢されている。また、押圧部材１６の中央部にはピン２０を入れる穴４４が設けられている。
【００２２】
また、図３に示すように、挟持手段１８の山形断面の斜辺の内側に、押圧部１６よりも頂上側の支点部２８が、夫々設けられ、対をなしている。また、一方の押圧部１６がフレーム１４に吸着することにより、他方の押圧部１６はシート１２の挟持を解除した状態で維持できる。
【００２３】
なお、挟持手段１８のフレーム１４への係合方法は特に限定されないが、例えば以下に示すように係合することが好ましい。すなわち、図４に示すように、まず第一の金属板２２と第二の金属板２４とが分離した状態で、挟持手段１８の裾側を第一の金属板２２の段差部３６側から組み込む。これにより、図５の挟持手段１８の溝３０が図６の第一の金属板２２の頭部３２に係合され、挟持手段１８の頂上部３４が第一の金属板２２の段差部３６に係合される。次に、図４に示すように、第一の金属板２２に第二の金属板２４が固定され、挟持手段１８はフレーム１４から離脱不可能となる。第一の金属板２２に第二の金属板２４が固定されることにより、段差部３６と第二の金属板２４の下端部３８とによって係合孔２６が構成される。
【００２４】
このような掲示具１０を電車内で使用する場合について以下に説明する。なお、電車内での使用は一例であり、バス、街頭又は店内等、使用する場所は特に限定されない。また、以下の作用の説明においては、シート１２の中で一方のシートを１２−１の符号で表わすとともに他方のシートを１２−２の符号で表わし、押圧部１６の中で一方の押圧部を１６−１の符号で表わすとともに他方の押圧部を１６−２の符号で表わし、支点部２８の中で一方の支点部を２８−１の符号で表わすとともに他方の支点部を２８−２の符号で表わしている。
【００２５】
掲示具１０は、電車内において、例えば図６のフレーム１４の天井取付孔４０を利用して螺子により、図１のような状態に天井に固定される。なお、図１において、フレーム１４の両側に設けられているのは、サイド板４２である。このように固定されている掲示具１０には、広告等の掲載されたシート１２−１が、フレーム１４の第一の金属板２２の一方の面と挟持手段１８の一方の押圧部１６−１との間に図３のように挟持されて、図１に示す状態で吊り下げられる。このようにして取り付けられたシート１２−１は、電車内の乗客に見られることにより、吊り下げ広告としての機能を果たすことができる。
【００２６】
次に、このシート１２をシート１２−２へ交換する必要が生じた場合、まず、図７に示すように、シート１２−２が他方の押圧部１６−２とフレーム１４との間に挿入される。この時、シート１２−２の上端付近が、他方の支点部２８と第一の金属板２２の他方の面との間に押し込まれ、磁力及びピン２０の保持力によりシート１２−２の落下が防止される。
【００２７】
次に、他方の押圧部１６−２が押し下げられることにより、図８に示すように他方の押圧部１６−２が回動し、シート１２−２の上端付近が磁力により他方の押圧部１６−２からピン２０に向けて押圧され、ピン２０がシート１２−２の上端付近に突き刺さる。押圧部１６−２の回動は、支点部２８−１を回動軸として押圧部１６−１とともに行われる。シート１２−２は、ピン２０が突き刺さっていることにより、又は押圧部１６−２及び第一の金属板２２に挟持されることにより、落下しないで保持される。この時、シート１２−１も、ピン２０が突き刺さっていることにより、保持されている。また、他方の押圧部１６−２が磁力によって第一の金属板２２に向けて吸着されることにより、挟持手段１８によるシート１２−１の挟持を解除した状態で維持される。すなわち、磁石から成る押圧部１６−２が維持手段として機能する。
【００２８】
次に、図９に示すように、シート１２−１が手で保持されてピン２０から離脱される方向に力が付与される。そして、図１０に示すように、シート１２−１がピン２０から離脱され、略下方向へ抜き出される。このようにして、シート１２−２を取り付けてシート１２−１を取り外す交換作業が終了する。なお、シート１２−２を更に他のシートへ交換する必要が生じた時は、上述の交換作業と同様に、シートを一方の押圧部１６−１側へ挟持させて、シート１２−２を取り外すことにより、シート１２−２から更に他のシートへの交換作業が行われる。
【００２９】
以上、本発明の掲示具の実施形態について説明したが、本発明は上述したものには限定されない。
【００３０】
例えば、本発明の掲示具は図１１及び図１２に示す掲示具５０であっても良い。この掲示具５０は、挟持手段５２が、下端付近に１個の押圧部１６のみを有し、上端付近には湾曲部５４を有している。湾曲部５４は、同様に湾曲する板バネ５６によって押圧され、図１２に示すように押圧部１６を第一の金属板２２から離隔させて挟持を解除した状態で維持できる。すなわち、板バネ５６が維持手段として機能する。また、ピン２０は一方にのみ突出している。
【００３１】
このような掲示具５０は、図１１に示すような状態で、シート１２を保持する。次に、シート１２を他のシートへ交換する時は、押圧部１６を支点部５８を回動軸として斜め上へ回動させ、図１２に示すように押圧部１６を第一の金属板２２から離隔させて挟持を解除し、シート１２を離脱させる。その後、他のシートを押圧部１６及び第一の金属板２２の間へ挿入して押圧部１６を斜め下へ逆回動させることにより、他のシートが図１１と同じようにして保持される。このようにして、シート１２から他のシートへの交換作業が終了する。
【００３２】
また、本発明の掲示具は図１３及び図１４に示す掲示具６０であっても良い。掲示具６０は、フレーム６２と、挟持手段６４と、フレーム６２の下端付近によって構成される突起部６６とを備えている。また、天井ではなく縦壁に螺子等によって固定するための縦壁取付部６８を備えている。このような掲示具６０の場合、シート１２の他のシートへの交換は、上述の掲示具５０と同様に、押圧部１６を支点部５８を回動軸として回動させて行われる。
【００３３】
また、本発明の掲示具１０において、１個のフレーム１４について使用する挟持手段１８は２個に限定されない。例えば、図１５に示すように、１個のフレーム１４について３個の挟持手段１８を使用しても良い。この場合、３枚のシート１２を保持することができる。
【００３４】
また、本発明の掲示具１０において、シート１２に貫通する突起部の形態はピン２０の形態に限定されない。例えば、図１６に示すピン（突起部）７０であっても良い。このピン７０は先端が鋭利で、シート１２に貫通しやすいように構成されている。また、根元に凹部を有しており、貫通されて形成されたシート１２の孔が凹部に係合されて抜けないように構成されている。
【００３５】
また、本発明の掲示具１０において、突起部はフレーム１４の第一の金属板２２側に備えることには限定されない。例えば、図１７に示すように、押圧部１６側にも突起部７２を備えても良い。また、図１８に示すように、突起部７４を押圧部１６の中心に一体的に備えても良い。突起部７４は、シート１２に貫通するとともに孔７６に挿入され、これによりシート１２が保持される。
【００３６】
また、本発明の挟持具１０において、押圧部１６を磁力によってフレーム１４に向けて付勢する方法としては、押圧部１６を磁石から構成することには限定されない。例えば、図１９に示すように、フレーム１４の第一の金属板２２の中の挟持する部分に磁石８０を埋め込んで、押圧部１６を磁力によって吸着する金属から構成しても良い。
【００３７】
また、本発明は図示したものには限定されない。その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００３８】
本発明の掲示具によれば、突起部をシートに貫通させてシートを保持する構造であるため、シートを保持するための構造がコンパクトとなる。このため、製造コストを低減できる。また、挟持手段による挟持又は挟持の解除動作によってシートの取り付け又は取り外しを行えるため、交換作業が容易である。すなわち、より少ないコストで製造できるとともに、より交換作業の容易な掲示具を提供することができる。
【図面の簡単な説明】
【００３９】
【図１】本発明の掲示具の使用状態を示す正面図である。
【図２】図１の掲示具を示す正面図である。
【図３】図１の掲示具の使用状態を説明するためのＡ−Ａ線切断部断面図である。
【図４】図１の掲示具の挟持手段を組み込む状態を示す斜視図である。
【図５】図１の掲示具の挟持手段を示す図であり、同図（ａ）は平面図、同図（ｂ）は正面図、同図（ｃ）は側面図である。
【図６】図１の掲示具のフレームを示す図であり、同図（ａ）は平面図、同図（ｂ）は正面図、同図（ｃ）は側面図である。
【図７】図１の掲示具の使用状態を説明するためのＡ−Ａ線切断部断面図である。
【図８】図１の掲示具の使用状態を説明するためのＡ−Ａ線切断部断面図である。
【図９】図１の掲示具の使用状態を説明するためのＡ−Ａ線切断部断面図である。
【図１０】図１の掲示具の使用状態を説明するためのＡ−Ａ線切断部断面図である。
【図１１】本発明の掲示具の他の実施形態を示す側面断面図である。
【図１２】図１１の掲示具の使用状態を示す側面断面図である。
【図１３】本発明の掲示具の更に他の実施形態を示す側面断面図である。
【図１４】図１３の掲示具の使用状態を示す側面断面図である。
【図１５】本発明の掲示具の更に他の実施形態を示す正面図である。
【図１６】本発明の掲示具の更に他の実施形態を示す側面断面図である。
【図１７】本発明の掲示具の更に他の実施形態を示す側面断面図である。
【図１８】本発明の掲示具の更に他の実施形態を示す側面断面図である。
【図１９】本発明の掲示具の更に他の実施形態を示す側面断面図である。
【符号の説明】
【００４０】
１０、５０、６０  掲示具
１２、１２−１、１２−２  シート
１４  フレーム
１６、１６−１，１６−２  押圧部
１８  挟持手段
２０、６６、７０、７２、７４  突起部
２２  第一の金属板
２４  第二の金属板
２６  係合孔
２８、２８−１、２８−２  支点部
【図１】
2005201999.tif 000003
【図２】
2005201999.tif 000004
【図３】
2005201999.tif 000005
【図４】
2005201999.tif 000006
【図５】
2005201999.tif 000007
【図６】
2005201999.tif 000008
【図７】
2005201999.tif 000009
【図８】
2005201999.tif 000010
【図９】
2005201999.tif 000011
【図１０】
2005201999.tif 000012
【図１１】
2005201999.tif 000013
【図１２】
2005201999.tif 000014
【図１３】
2005201999.tif 000015
【図１４】
2005201999.tif 000016
【図１５】
2005201999.tif 000017
【図１６】
2005201999.tif 000018
【図１７】
2005201999.tif 000019
【図１８】
2005201999.tif 000020
【図１９】
2005201999.tif 000021